(57)【要約】      （修正有）【課題】プラグの不適切な挿入を防止することが可能なレセプタクルコネクタを提供する。【解決手段】レセプタクルコネクタ２０を、２個のフック３１を有するプラグ３０と接続する。該レセプタクルコネクタは、第１トングセグメント２２と、第２トングセグメントと、開口および２個の孔Ｈを形成するハウジングとを備える。第１および第２トングセグメントはハウジング内に設置され、互いに対向している。第１トングセグメントは、本体２２２と、複数の第１コンタクトと、２個のストッパーＭとを有し、２個のストッパーは、コンタクトの両側に位置し、本体に固定される。プラグが正常体位で開口からハウジングに挿入されると、フックは孔に係合する。一方、プラグが正常体位と逆の体位でハウジングに誤挿入されると、ストッパーがフックを遮り、プラグの挿入を阻止する。【選択図】図３Ａ
0003148864.tif 000002
【実用新案登録請求の範囲】
【請求項１】
２個のフックを有するプラグと接続するレセプタクルコネクタであって、
開口と２個の孔を有するハウジングと、
前記ハウジング内に設置された第１トングセグメントと、
前記ハウジング内に設置され、前記第１トングセグメントと対向する第２トングセグメントと、
を備え、
第１トングセグメントは、本体と、複数の第１コンタクトと、２個のストッパーとを有し、前記ストッパーは前記本体に固定され、かつ前記第１コンタクトの両側に位置し、
前記プラグが正常体位で前記開口から前記ハウジングに挿入された場合には前記フックが前記孔に係合し、前記プラグが前記正常体位とは上下逆の体位で前記ハウジングに挿入された場合には、前記ストッパーが前記フックを遮ることで前記プラグの挿入を阻止することを特徴とするレセプタクルコネクタ。
【請求項２】
前記ストッパーは前記本体より硬い材料で形成されていることを特徴とする請求項１に記載のレセプタクルコネクタ。
【請求項３】
前記ストッパーは金属材料から形成されることを特徴とする請求項１に記載のレセプタクルコネクタ。
【請求項４】
前記ストッパーは前記孔に対向する表面を有し、前記表面は前記本体により露出することを特徴とする請求項１に記載のレセプタクルコネクタ。
【請求項５】
前記ストッパーは前記孔に対向する表面を有し、前記表面は前記本体により隠されることを特徴とする請求項１に記載のレセプタクルコネクタ。
【請求項６】
前記本体は前記第１コンタクトを設置する凹部を有し、前記ストッパーは前記凹部の両側に位置することを特徴とする請求項１に記載のレセプタクルコネクタ。
【請求項７】
前記ストッパーの末端は前記本体により露出し、前記末端は前記開口に向いていることを特徴とする請求項１に記載のレセプタクルコネクタ。
【請求項８】
前記第１トングセグメントが、第１軸に沿って前記第２トングセグメントから突出する第１距離は、前記プラグの前記フックと前記プラグの末端との間の前記第１軸に沿った第２距離より長いことを特徴とする請求項１記載のレセプタクルコネクタ。
【請求項９】
前記第１トングセグメントは７個の前記第１コンタクトを有し、前記第２トングセグメントは５個の第２コンタクトを有することを特徴とする請求項６に記載のレセプタクルコネクタ。
【請求項１０】
請求項１ないし９の何れか一項に記載のレセプタクルコネクタを備えたことを特徴とする電子装置。
【考案の詳細な説明】
【技術分野】
【０００１】
本考案はレセプタクルコネクタに関し、特に、プラグの不適切な挿入を防止するレセプタクルコネクタに関する。
【背景技術】
【０００２】
ユニバーサルシリアルバスインプリメンターズ・フォーラム（Universal Serial Bus Implementers Forum：ＵＳＢ（登録商標）ＩＦ）は、様々な携帯型電子装置に適用され得る、マイクロＵＳＢと称される新しい基準を制定した。このマイクロＵＳＢはミニＵＳＢ基準に置き換わるものであり、ミニＵＳＢコネクタより小型で、かつ、より優れた機能を有する。
【０００３】
図１Ａと図１Ｂは、公知のＡＢ型マイクロＵＳＢレセプタクルコネクタを示す図で、レセプタクルコネクタ１０は、開口１１及びこの開口１１の上側に位置するトングセグメント１２を有する。トングセグメント１２は複数のコンタクト１２１（図１Ｂでは５個のコンタクト１２１）を有し、プラグ（図示しない）と接続する。このコネクタに対して、もしプラグが上下逆に挿入されると、トングセグメント１２が損壊する恐れがある。よって、プラグの誤挿入を防止する頑強なメカニズムが必要である。
【考案の開示】
【考案が解決しようとする課題】
【０００４】
本考案は、プラグの不適切な挿入を防止可能なレセプタクルコネクタを提供することを目的とする。
【課題を解決するための手段】
【０００５】
上述の目的を達成するため、本考案のレセプタクルコネクタは２個のフックを有するプラグと接続する。当該レセプタクルコネクタは、第１トングセグメントと、第２トングセグメントと、開口および２個の孔を有するハウジングと、を備える。
【０００６】
第１および第２トングセグメントはハウジング内に設置され、互いに対向する。第１トングセグメントは、本体と、複数の第１コンタクトと、２個のストッパーとを有し、該２個のストッパーは、コンタクトの両側に位置し、本体に固定される。プラグが正常体位で開口からハウジングに挿入されると、フックは孔に係合する。一方、プラグが誤って正常体位とは上下逆の体位でハウジングに挿入されると、ストッパーがフックを遮り、プラグの挿入を阻止する。
【考案の効果】
【０００７】
本考案のレセプタクルコネクタは、プラグを遮って、レセプタクルコネクタへの誤挿入を防止する。また、ストッパーは公知のプラスチックのトングセグメントより硬いので、プラグの誤挿入によるレセプタクルコネクタの損傷を防止することができる。
【考案を実施するための最良の形態】
【０００８】
図２Ａ及び図２Ｂを参照すると、マイクロＵＳＢレセプタクルコネクタ等のレセプタクルコネクタ２０が提供され、携帯電話、ＰＤＡ、ウルトラモバイルＰＣ（ＵＭＰＣ）、携帯型電子装置、あるいは、ハンドヘルド電子装置に適用される。レセプタクルコネクタ２０は、開口２１’を画定するハウジング２１を備える。図２Ａ及び図２Ｂが示すように、第１トングセグメント２２と第２トングセグメント２３は、それぞれ開口２１’内に設置される。
【０００９】
本実施形態では、第１トングセグメント２２は７個の第１コンタクト２２１を有し、第２トングセグメント２３は５個の第２コンタクト２３１を有して、図３Ａと図３Ｂが示すプラグ３０と電気的に接続する。プラグ３０が開口２１’から正常な体位でレセプタクルコネクタ２０に結合されると、プラグ３０の２個のフック３１は、それぞれハウジング２１の２個の孔Ｈと係合する。代替的に、プラグ３０は５個または１２個のコンタクトを有するＡ型あるいはＢ型プラグでもよい。
【００１０】
図２Ａと図２Ｂ中、第１トングセグメント２２は、更に本体２２２と２個のストッパーＭとを有する。第１コンタクト２２１は、本体２２２の中間にある凹部２２２’に設置される。特に、２個のストッパーＭは凹部２２２’の両側に設置され、本体２２２に嵌合する。これにより、第１トングセグメント２２の構造的強度を増加して、プラグ３０の誤挿入による第１および第２トングセグメント２２、２３の破壊を防止する。
【００１１】
図３Ａと図３Ｂを参照すると、プラグ３０が誤った体位（上述の正常な体位とは上下逆の体位）で、レセプタクルコネクタ２０に挿入されると、フック３１が遮り、第１トングセグメント２２のストッパーＭによりその挿入が停止される（図３Ａと図３Ｂで示される保護領域Ａ）。これにより、プラグ３０の誤挿入が、フック３１とストッパーＭ間の機械的干渉により禁止され、第１および第２トングセグメント２２、２３の損壊が防止される。
【００１２】
図３Ｃのように、第１トングセグメント２２がＹ軸（第１の軸と称する）に沿って、第２トングセグメント２３から突き出る距離Ｄは、プラグ３０のフック３１と末端３２との間のＹ軸方向の距離ｄより長くてＤ＞ｄである。そのため、レセプタクルコネクタ２０が逆に挿入されても、プラグ３０は第２トングセグメント２３に接触しない。
【００１３】
本体２２２はプラスチック材で形成され、ストッパーＭは金属かその他の剛性材料で形成され得る。そのため、ストッパーＭは本体２２２より硬い。
図２Ａが示すように、各ストッパーＭは、孔Ｈに対面する表面Ｍ１を有し、本体２２２の上側２２２１より露出する。あるいは、他の実施形態において表面Ｍ１を本体２２２に隠して、本体２２２の上側２２２１より露出しなくてもよい。
【００１４】
本実施形態では、第１トングセグメント２２は７個の第１コンタクトを有し、第２トングセグメント２３は５個の第２コンタクトを有して、５個または１２個のコンタクトを有するプラグ３０と電気的に接続する。しかし、本考案はこれに限定されるものではなく、例えば、第１トングセグメント２２は６個または別の数量のコンタクトを有してもよい。プラグ３０が５個またはそれ以上のコンタクトプラグを有するＡ型あるいはＢ型だとしても、プラグ３０のレセプタクルコネクタ２０への誤挿入は、フック３１とストッパーＭ間の干渉により効果的に禁止される。
【００１５】
本考案は、トングセグメントの両側に対向した２個のストッパーを有するレセプタクルコネクタを提供し、プラグのレセプタクルコネクタへの誤挿入を防止する。ストッパーは公知のプラスチック製のトングセグメントより硬いので、プラグの誤挿入によるレセプタクルコネクタの損壊を防止することができる。
【００１６】
本考案の好ましい実施形態を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、特許請求の範囲で指定した内容を基準とする。
【００１７】
以上、本考案を図面に示した実施形態を用いて説明したが、これらは例示的なものに過ぎず、本技術分野の当業者ならば、本考案の範囲および趣旨から逸脱しない範囲で多様な変更および変形が可能なことは理解できるであろう。したがって、本考案の範囲は、説明された実施形態によって定められず、実用新案登録請求の範囲に記載された技術的趣旨により定められねばならない。
【図面の簡単な説明】
【００１８】
【図１Ａ】公知のマイクロＵＳＢレセプタクルコネクタを示す斜視図である。
【図１Ｂ】公知のマイクロＵＳＢレセプタクルコネクタを示す正面図である。
【図２Ａ】本考案の実施形態によるレセプタクルコネクタを示す斜視図である。
【図２Ｂ】本考案の実施形態によるレセプタクルコネクタを示す正面図である。
【図３Ａ】プラグを上下逆にしてレセプタクルコネクタに挿入した状態を示す斜視図である。
【図３Ｂ】プラグを上下逆にしてレセプタクルコネクタに挿入した状態を示す正面図である。
【図３Ｃ】プラグを上下逆にしてレセプタクルコネクタに挿入した状態を示す側面図である。
【符号の説明】
【００１９】
２０    レセプタクルコネクタ
２１    ハウジング
２１’  開口
２２    第１トングセグメント
２３    第２トングセグメント
３０    プラグ
３１    フック
３２    前端
２２２  本体
２２２’  凹部
２２１  第１コンタクト
２３１  第２コンタクト
２２２１  上側
Ｈ      孔
Ｍ      ストッパー
Ｍ１    表面
【図１Ａ】
0003148864.tif 000003
【図１Ｂ】
0003148864.tif 000004
【図２Ａ】
0003148864.tif 000005
【図２Ｂ】
0003148864.tif 000006
【図３Ａ】
0003148864.tif 000007
【図３Ｂ】
0003148864.tif 000008
【図３Ｃ】
0003148864.tif 000009